(57)【特許請求の範囲】
【請求項１】
扉によって開閉される開口と被塗装外面とを有する車両ボディの前記被塗装外面に揮発性有機化合物を含有する塗料を塗布する際に、前記揮発性有機化合物を吸着可能な吸着剤を含有するシート状の遮蔽部と、前記遮蔽部の上部に設けられ前記車両ボディの前記開口の上方に着脱自在に取り付けられる支持部とを備え、前記支持部が前記開口の上方に取り付けられた状態で前記遮蔽部が前記開口を遮蔽する遮蔽カバーを用いる車両の塗装方法であって、
前記車両ボディの前記開口の上方に前記遮蔽カバーの前記支持部を取り付けた状態で、前記車両ボディの前記被塗装外面を塗装する
ことを特徴とする車両の塗装方法。
【請求項２】
請求項１に記載の車両の塗装方法であって、
前記遮蔽部は、前記支持部が前記開口の上方に取り付けられた状態で、前記開口の幅方向に並んで配置されて該開口を遮蔽する帯状の複数のシート材からなり、
前記シート材の前記幅方向の各端縁部は、隣接するシート材の端縁部と重なり合っている
ことを特徴とする車両の塗装方法。
【発明の詳細な説明】
【技術分野】
【０００１】
本発明は、車両塗装用の遮蔽カバー及び車両の塗装方法に関する。
【背景技術】
【０００２】
塗装ブース内における塗装排ガスを浄化して、外部に放出される排気による大気汚染を防止する塗装ブース装置が知られている。この塗装ブース装置として例えば、特許文献１に記載の塗装ブース装置がある。
【０００３】
特許文献１の塗装ブース装置では、塗装ブースの前部に吸引室が設けられると共に、塗装ブースの天井部に吹出室が設けられ、塗装ブースの後側上部に給気室が設けられている。吹出室は、吸引室の上面部の排出口とダクトを介して連結している。吹出室及び給気室から塗装ブース内に供給された空気は吸引室内に吸引せしめられ、吸引室内に吸引された空気に含有されている有機溶剤成分は、吸引室内の有機溶剤除去フィルタを通過することによって浄化される。清浄された空気は、ダクトを介して吹出室に導入されると共に、ダクトの中間部に連結された排気ダンパーによって外部に放出される。
【０００４】
【特許文献１】特開２００２−３３６７４９号公報
【発明の開示】
【発明が解決しようとする課題】
【０００５】
ところで、車両の塗装時においては、作業性の確保等のためにドア等の扉を開状態にして、乗降口等の開口部を開口させたまま塗装作業を行う場合がある。このような場合、特許文献１の構造では、塗装ブース内に供給された空気が吸引室に吸引されるまでの間に有機溶剤成分を含有し、開口部から有機溶剤成分を含有した空気が車内へ侵入して、車内が有機溶剤成分で汚染されてしまう恐れがある。
【０００６】
このような不都合は、扉を閉状態にして開口部を閉止したまま塗装作業を行うことで回避可能であるが、作業性の確保等のために扉を開閉した場合においては、依然として有機溶剤成分を含有した空気が開口部から車内へ侵入してしまい、有機溶剤成分を含有した空気が車内に残存してしまう可能性がある。
【０００７】
そこで、本発明は、車内への揮発性有機化合物の侵入を有効に抑止することが可能な車両の塗装方法の提供を目的とする。
【課題を解決するための手段】
【０００８】
上記目的を達成すべく、本発明の第１の態様の車両の塗装方法では、扉によって開閉される開口と被塗装外面とを有する車両ボディの被塗装外面に揮発性有機化合物を含有する塗料を塗布する際に、遮蔽カバーを用いる。遮蔽カバーは、シート状の遮蔽部と支持部とを備える。シート状の遮蔽部は、揮発性有機化合物を吸着可能な吸着剤を含有する。支持部は、遮蔽部の上部に設けられ、車両ボディの開口の上方に着脱自在に取り付けられる。遮蔽部は、支持部が開口の上方に取り付けられた状態で、開口を遮蔽する。そして、車両ボディの前記開口の上方に遮蔽カバーの支持部を取り付けた状態で、車両ボディの被塗装外面を塗装する。
【００１０】
車両ボディの被塗装外面を塗装した後、車両ボディの周囲の雰囲気中に揮発性有機化合物が含まれていない状態のときに、遮蔽カバーの支持部を車両ボディから取り外してもよい。
【００１１】
上記方法では、車両ボディの開口の上方に支持部を取り付けることによって、開口が遮蔽部によって遮蔽される。車両ボディの被塗装外面に揮発性有機化合物を含有する塗料を塗布すると、揮発性有機化合物が揮発して、車両ボディの周囲の空気中に揮発性有機化合物が含有される。このとき、開口を遮蔽部によって遮蔽しているため、揮発性有機化合物を含有した空気の車両ボディ内への移動が規制される。さらに、揮発性有機化合物を含有した空気が遮蔽部を通過する場合には、吸着剤によって揮発性有機化合物が吸着されて、揮発性有機化合物の車両ボディ内への侵入が抑止される。
【００１２】
このように、作業性の確保等のために扉を開状態にした場合であっても、遮蔽部によって開口を遮蔽することができる。また、遮蔽部に含有された吸着剤によって揮発性有機化合物を吸着することができるため、車両ボディ内への揮発性有機化合物の侵入を有効に抑止することができる。
【００１３】
本発明の第２の態様の車両の塗装方法は、上記第１の態様の車両の塗装方法であって、遮蔽部が帯状の複数のシート材からなる。帯状の複数のシート材は、支持部が開口の上方に取り付けられた状態で、開口の幅方向に並んで配置されて開口を遮蔽する。また、シート材の幅方向の各端縁部は、隣接するシート材の端縁部と重なり合っている。
【００１４】
上記方法では、遮蔽部が複数のシート材で形成されているため、作業員等は、支持部を取り外さずにシート材をかき分けて容易に車両ボディ内に入ることができる。また、作業員等がシート材をかき分けて車両ボディ内に入る際、シート材と作業員等とが必要以上に離間することがない。すなわち、シート材と作業員等との隙間が小さい状態で作業員等が車両ボディ内に入ることができるため、作業員等が車両ボディ内に入る際の揮発性有機化合物を含有した空気の車両ボディ内への移動を有効に抑止することができる。
【００１５】
また、シート材の幅方向の各端縁部が隣接するシート材の端縁部と重なり合っているため、開口を遮蔽した状態において各シート材間に隙間ができにくく、揮発性有機化合物を含有した空気の車両ボディ内への移動を有効に抑止することができる。
【発明の効果】
【００１６】
車内への揮発性有機化合物の侵入を有効に抑止することができる。
【発明を実施するための最良の形態】
【００１７】
以下、本発明の一実施形態を、図面に基づいて説明する。図１は遮蔽カーテンが取り付けられたバスを示す斜視図、図２は遮蔽カーテンの正面図、図３は遮蔽カーテンの側面図、図４は図２のＡ−Ａ矢視断面図である。図５はシート材の構成を示す模式図、図６は作業員が車室内へ入る際の遮蔽カーテンの状態を示した正面図、図７は作業員が車室内へ入る際の遮蔽カーテンの状態を示した側面図である。なお、以下の説明において、前後方向は車両の進行方向前後を示し、内外方向は車幅方向の内外を示す。
【００１８】
図１及び図２に示すように、バス１は、被塗装外面としてのボディ後部（車両ボディ）２と一対のボディ側部（車両ボディ）３とボディ前部（車両ボディ）４とボディ上部（車両ボディ）５とボディ底部（車両ボディ）６とを有する。また、ボディ後部２とボディ側部３とボディ前部４とには、それぞれ窓ガラス７が設けられている。また、ボディ側部３には、後述する遮蔽カーテン（遮蔽カバー）８が設けられている。
【００１９】
ボディ後部２は、バス１の後面を覆ってバス１の後端を区画している。ボディ側部３は、前部乗降口（開口）９と後部乗降口（開口）１０とを有し、ボディ後部２の車幅方向外端から前方に延びてバス１の車幅方向外端を区画している。
【００２０】
前部乗降口９及び後部乗降口１０は、一対のボディ側部３うち、いずれか一方（本実施形態では車両前方から視て右側）に配置されている。前部乗降口９は、ボディ側部３の前端部にされ、後部乗降口１０は、前部乗降口９よりも後方に配置されている。前部乗降口９及び後部乗降口１０には、それぞれ前部扉（扉）１１及び後部扉（扉）１２が開閉自在に設けられている。前部扉１１又は後部扉１２が前部乗降口９又は後部乗降口１０を開口させた開状態のとき、ボディ側部３の車幅方向内側、すなわち、バス１の車室内への作業員１３の出入りが許容される（図７参照）。本実施形態では、後部扉１２が後部乗降口１０を閉塞する閉状態に設定され、前部扉１１が開状態に設定されている。
【００２１】
ボディ前部４は、各ボディ側部３の前端からそれぞれ車幅方向内側に延びてバス１の前端を区画している。ボディ上部５は、ボディ後部２の上端部と一対のボディ側部３の上端部とボディ前部４の上端部と接合してバス１の上端を区画している。ボディ底部６は、ボディ後部２の下端部と一対のボディ側部３の下端部とボディ前部４の下端部と接合してバス１の下端を区画している。
【００２２】
遮蔽カーテン８は、図１〜図４に示すように、マグネット（支持部）１４と支持部材（支持部）１５と複数のシート材（遮蔽部）１６とを有している。
【００２３】
マグネット１４は略矩形板形状であり、長手方向の長さが前部乗降口９の前後方向の長さよりも大きく形成されている。マグネット１４は、磁力によってバス１の車室内側面又は車外側面に対して着脱自在に固定される。支持部材１５は、例えば合成樹脂で形成された略矩形板形状であり、マグネット１４の他端に接合されている。
【００２４】
図４及び図５に示すように、シート材１６は帯形状であり、活性炭不織布１７と一対の通気シート１８とを有する。シート材１６は柔軟性を有し、長手方向（上下方向）の一端が支持部材１５に固定されている。シート材１６の長手方向の長さは、前部乗降口９の上下方向の長さよりも長く形成されている。シート材１６の短手方向（横幅方向）の端縁部２０は、隣接する他のシート材１６の短手方向の端縁部２０と重なり合っている。
【００２５】
活性炭不織布１７は、ポリエステル繊維を絡み合わせたシート状の部材であり、活性炭（吸着剤）１９を含有している。活性炭１９は粒状に形成され、活性炭不織布１７を通過する空気中の揮発性有機化合物（以下、ＶＯＣと称す）を吸着する。なお、活性炭不織布１７がポリエステル繊維を絡み合わせたシート状の部材である場合に限られず、例えば、繊維状の活性炭や木綿等で形成されていてもよい。また、活性炭１９が粒状に形成されている場合に限られず、例えば、繊維状や粉末状に形成されていてもよい。
【００２６】
通気シート１８は、微細通気孔が複数設けられたシート状の合成樹脂であり、活性炭不織布１７に熱融着されている。なお、本実施形態では、シート材１６が通気シート１８と活性炭不織布１７とを有する場合を説明するが、シート材１６が活性炭不織布１７のみで形成されていてもよい。また、通気シート１８が合成樹脂で形成されている場合に限られず、例えば、木材パルプ等他の材質で形成されていてもよい。
【００２７】
次に、遮蔽カーテン８を用いたバス１の塗装方法について説明する。
【００２８】
被塗装外面であるボディ後部２と一対のボディ側部３とボディ前部４とボディ上部５とボディ底部６とに塗装する際に、マグネット１４を前部乗降口９の上方に配置して、マグネット１４の一端を磁力によってボディ側部３の車幅方向外側面に対して固定し、シート材１６によって前部乗降口９を遮蔽する。この状態でボディ前部４等に塗装を行い、塗装終了後に、ＶＯＣを含有しない雰囲気中にバス１を移動させて、マグネット１４をボディ側部３から取り外す。
【００２９】
本実施形態では、ボディ側部３の前部乗降口９の上方にマグネット１４を取り付けることによって、前部乗降口９が複数のシート材１６によって遮蔽される。ボディ前部４等にＶＯＣを含有する塗料を塗布すると、ＶＯＣが揮発して、バス１の周囲の空気中にＶＯＣが含有される。前部乗降口９が複数のシート材１６によって遮蔽されることで、ＶＯＣを含有した空気の車室内への移動が規制される。さらに、ＶＯＣを含有した空気が複数のシート材１６を通過する場合には、活性炭１９によってＶＯＣが吸着されて、ＶＯＣの車室内への侵入が抑止される。
【００３０】
このように、本実施形態によれば、前部扉１１を開状態に設定したまま塗装作業を行う場合であっても、前部乗降口９を複数のシート材１６によって遮蔽することができる。また、前部乗降口９を遮蔽する複数のシート材１６に含有された活性炭１９によってＶＯＣを吸着することができるため、車室内へのＶＯＣの侵入を抑止することができる。
【００３１】
また、遮蔽カーテン８が複数のシート材１６で形成されているため、図６及び図７に示すように、作業員１３は、複数のシート材１６をかき分けて容易に車室内に入ることができる。また、作業員１３がシート材１６をかき分けて車室内に入る際、シート材１６と作業員１３とが必要以上に離間することがない。すなわち、シート材１６と作業員１３との隙間が小さい状態で作業員１３が車室内に入ることができるため、作業員１３が車室内に入る際のＶＯＣを含有した空気の車室内への移動を有効に抑止することができる。
【００３２】
さらに、シート材１６の短手方向の端縁部２０が、隣接する他のシート材１６の短手方向の端縁部２０と重なり合っているため、前部乗降口９を遮蔽した状態において各シート材１６間に隙間ができにくく、ＶＯＣを含有した空気の車室内への移動を有効に抑止することができる。
【００３３】
また、マグネット１４の磁力によって支持部材１５をボディ側部３に対して固定できるため、遮蔽カーテン８の取付又は取外作業も容易である。
【００３４】
なお、マグネット１４によって遮蔽カーテン８をボディ側部３に固定する場合に限られず、例えば、支持部材１５に吸盤を設け、吸盤の吸着力によって遮蔽カーテン８をボディ側部３に対して固定してもよい。
【００３５】
また、マグネット１４をボディ側部３の車幅方向外側面に対して固定する場合に限られず、ボディ側部３の車幅方向内側面に対して固定してもよい。
【００３６】
また、活性炭不織布１７に活性炭１９を含有させる場合に限られず、例えば、酸化チタン等の光触媒を活性炭不織布１７に含有させてもよい。
【００３７】
また、本実施形態では、遮蔽カーテン８が複数のシート材１６を有する場合を説明したが、複数のシート材１６である場合に限られず、例えば、前部乗降口９とほぼ同じ面積を有する一のシート状部材であってもよい。
【００３８】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【産業上の利用可能性】
【００３９】
本発明は、扉によって開閉される開口と被塗装外面とを有する車両に適用可能である。
【図面の簡単な説明】
【００４０】
【図１】遮蔽カーテンが取り付けられたバスを示す斜視図である。
【図２】遮蔽カーテンの正面図である。
【図３】遮蔽カーテンの側面図である。
【図４】図２のＡ−Ａ矢視断面図である。
【図５】シート材の構成を示す模式図である。
【図６】作業員が車室内へ入る際の遮蔽カーテンの状態を示した正面図である。
【図７】作業員が車室内へ入る際の遮蔽カーテンの状態を示した側面図である。
【符号の説明】
【００４１】
２  ボディ後部（車両ボディ）
３  ボディ側部（車両ボディ）
４  ボディ前部（車両ボディ）
５  ボディ上部（車両ボディ）
６  ボディ底部（車両ボディ）
８  遮蔽カーテン（遮蔽カバー）
９  前部乗降口（開口）
１０  後部乗降口（開口）
１１  前部扉（扉）
１２  後部扉（扉）
１４  マグネット（支持部）
１５  支持部材（支持部）
１６  シート材（遮蔽部）
１９  活性炭（吸着剤）
２０  端縁部
ＶＯＣ  揮発性有機化合物
【図１】
0005288243.tif 000002
【図２】
0005288243.tif 000003
【図３】
0005288243.tif 000004
【図４】
0005288243.tif 000005
【図５】
0005288243.tif 000006
【図６】
0005288243.tif 000007
【図７】
0005288243.tif 000008